(57)【要約】【課題】  遊技機に取り付けられた主基板のコネクタにＩＤリーダを接続することなく、証紙番号とＲＯＭのＩＤコードとの対応づけ作業を行うことができる遊技機を提供する。【解決手段】  ＲＯＭ４２が実装された主基板２３を備えるパチンコ機１０であって、ＲＯＭ４２には、主基板２３を識別するＩＤコードが格納され、主基板２３は、ケース４１に収納され、ケース４１の表面には、ＩＤコードと対応づけられた識別情報である基板ケースＩＤが印刷された主基板機種名シール３５が貼り付けられている。【選択図】        図１
2007054418.tif 000002
【特許請求の範囲】
【請求項１】
読み出し専用メモリが実装された制御基板を備える遊技機であって、
前記読み出し専用メモリには、前記制御基板を識別するＩＤコードが格納され、
前記制御基板は、ケースに収納され、
前記ケースの表面には、前記ＩＤコードと対応づけられた識別情報である基板ケースＩＤが印刷されたシールが貼り付けられている
ことを特徴とする遊技機。
【請求項２】
前記遊技機は、パチンコ機であり、
前記制御基板は、入賞時における遊技機の動作を制御する主基板又はパチンコ球の払い出し動作を制御する払出基板である
ことを特徴とする請求項１記載の遊技機。
【発明の詳細な説明】
【技術分野】
【０００１】
本発明は、パチンコ機、遊技盤、スロットマシン等の遊技機に関し、特に、遊技機に貼り付けられた証紙シールに印刷された証紙番号と遊技機の固体番号との対応づけ作業を効率化する技術に関する。
【背景技術】
【０００２】
遊技機の一例であるパチンコ機を製造して出荷する際には、所定の発行機関（例えば、日本遊技機工業組合）から予め発行されている証紙番号を印刷した証紙シールをパチンコ機の所定位置に貼り付け、その証紙番号とパチンコ機の固体番号（具体的には、主基板が備えるＲＯＭ（読み出し専用メモリ）に格納されたＩＤコード）とを対応づけて記録し、管理しておく必要がある。
【０００３】
従来、このような対応づけをする技術として、パチンコ機の組立ライン工程で、主基板等の基板ケースを盤・枠等の所定位置に組み立てた後、情報読み取り工程で、証紙シールを盤前面と主基板ケースに貼り付け、その後、主基板に実装されたＲＯＭのＩＤコード（以下、ＲＯＭのＩＤコードを単に「ＩＤコード」という。）を専用の読み取り装置であるＩＤリーダで読み取るとともに、証紙シールに印刷された証紙番号（ＱＲコード）をバーコードリーダで読み取り、それらＩＤコードと証紙番号とを対応づけて記録しておく技術が提案されている（例えば、特許文献１記載の「遊技機の生産設備」参照。）。
【０００４】
上記従来の技術によれば、遊技機の製造会社は、遊技機の出荷後において公安機関等から証紙番号に基づく機種の照会を受けたときに、その証紙番号に対応するＩＤコード、つまり、出荷時において主基板に実装されていたＲＯＭの種類（ひいては、その遊技機の機種）を特定し、回答することができる。よって、公安機関等は、遊技機に貼り付けられた証紙シールの証紙番号から、その遊技機の出荷後にＲＯＭが交換される不正行為等があったか否か等を判断することができる。
【特許文献１】特開２００５−１３３７４号公報
【発明の開示】
【発明が解決しようとする課題】
【０００５】
しかしながら、上記従来の技術では、主基板が遊技機に取り付けられた状態でＲＯＭのＩＤコードを読み取る必要があるために、証紙番号とＲＯＭのＩＤコード（ひいては、その遊技機の機種）との対応づけ作業が煩雑になるという問題がある。主基板にはＩＤリーダを接続するためのコネクタが設けられているが、主基板が取り付けられている遊技機の背面には、主基板ケースの他に、電源基板ケース、音声基板ケース、表示サブ基板ケース等の各種基板ケースが密集する状態で取り付けられているので、主基板のコネクタにＩＤリーダを接続したり取り外したりする作業が煩雑化しやすい。つまり、遊技機背面のレイアウト設計に依存して証紙番号とＲＯＭのＩＤコードとの対応づけ作業における作業効率が悪化してしまう問題がある。
【０００６】
そこで、本発明は、このような問題点に鑑みてなされたものであり、遊技機に取り付けられた主基板のコネクタにＩＤリーダを接続することなく、証紙番号とＲＯＭのＩＤコードとの対応づけ作業を行うことができる遊技機等を提供することを目的とする。
【課題を解決するための手段】
【０００７】
上記目的を達成するために、本発明に係る遊技機は、読み出し専用メモリが実装された制御基板を備える遊技機であって、前記読み出し専用メモリには、前記制御基板を識別するＩＤコードが格納され、前記制御基板は、ケースに収納され、前記ケースの表面には、前記ＩＤコードと対応づけられた識別情報である基板ケースＩＤが印刷されたシールが貼り付けられていることを特徴とする。
【０００８】
これにより、制御基板のケースには読み出し専用メモリに格納されたＩＤコードに対応づけられた基板ケースＩＤが印刷されたシールが貼り付けられているので、そのような制御基板が取り付けられた遊技機を出荷する段階においては、証紙シールを遊技機の所定位置に貼り付け、貼り付けた証紙シール及び既に制御基板に貼り付けられているシールそれぞれに印刷された基板ケースＩＤと証紙番号とをバーコードリーダを用いて非接触で読み取り、読み取った基板ケースＩＤと証紙番号とを対応づけて記録しておくだけで、証紙番号と基板ケースＩＤとの対応づけ、及び、基板ケースＩＤとＲＯＭのＩＤコードとの対応づけの２つの関係から、結果として、証紙番号とＲＯＭのＩＤコードとの対応づけが可能となる。つまり、出荷段階においては、遊技機に取り付けられた制御基板のコネクタにＩＤリーダを接続することなく、証紙番号とＲＯＭのＩＤコードとの対応づけ作業を行うことができる。
【０００９】
ここで、前記遊技機は、例えば、パチンコ機であり、前記制御基板として、入賞時における遊技機の動作を制御する主基板又はパチンコ球の払い出し動作を制御する払出基板であってもよい。また、遊技機としては、遊技盤のみの構成であってもよいし、遊技盤と枠を含む構成であってもよい。
【００１０】
なお、本発明は、このような遊技機として実現できるだけでなく、上記制御基板単体として実現したり、以下のようなステップを含む遊技機の管理方法として実現することもできる。つまり、遊技機を管理する方法であって、読み出し専用メモリが実装された制御基板を遊技機に取り付ける前に、前記制御基板を収納しているケースの表面に基板ケースＩＤを印刷した機種名シールを貼り付け、貼り付けられた機種名シールから当該機種名シールに印刷された基板ケースＩＤを読み取るとともに、前記読み出し専用メモリから前記制御基板を識別するＩＤコードを読み取り、読み取った基板ケースＩＤとＩＤコードとを対応づけて記録しておく第１対応づけステップと、前記制御基板を遊技機に取り付けた後に、前記制御基板を収納しているケースの表面に証紙シールを貼り付け、前記ケースの表面に貼り付けられた機種名シール及び証紙シールから当該機種名シール及び証紙シールそれぞれに印刷された基板ケースＩＤ及び証紙番号を読み取り、読み取った基板ケースＩＤと証紙番号とを対応づけて記録しておく第２対応づけステップとを含むことを特徴とする遊技機の管理方法として実現することもできる。これにより、上記遊技機と同じ目的を達成することができる。
【００１１】
ここで、前記遊技機の管理方法はさらに、証紙番号の入力を受け付ける証紙番号受付ステップと、前記第２対応づけステップで記録された基板ケースＩＤと証紙番号との対応づけを参照することで、前記証紙番号受付ステップで受け付けた証紙番号から、対応する基板ケースＩＤを特定する基板ケースＩＤ特定ステップと、前記第１対応づけステップで記録された基板ケースＩＤとＩＤコードとの対応づけを参照することで、前記基板ケースＩＤ特定ステップで特定された基板ケースＩＤから、対応するＩＤコードを特定するＩＤコード特定ステップとを含む構成であってもよい。つまり、証紙番号による照会に対して対応するＲＯＭのＩＤコードを検索するステップが付加されていてもよい。
【００１２】
さらに、本発明は、このような遊技機の管理方法に含まれるステップをコンピュータに実行させるプログラムとして実現したり、そのプログラムをコンピュータに実行させることによって実現される遊技機の管理装置・生産設備として実現したり、そのプログラムを記録したコンピュータ読み取り可能なＣＤ−ＲＯＭ等の記録媒体として実現することもできる。
【発明の効果】
【００１３】
本発明により、遊技機に取り付けられた主基板等の制御基板のコネクタにＩＤリーダを接続することなく、容易に、遊技機に貼り付けられた証紙シールの証紙番号と制御基板に実装されたＲＯＭのＩＤコードとの対応づけ、ひいては、証紙番号と遊技機の固体番号との対応づけ作業を行うことができる。つまり、証紙番号とＩＤコード（あるいは、遊技機固体）との対応づけ作業が効率化される。
【００１４】
また、本発明により、証紙番号と基板ケースＩＤとの対応づけ、及び、基板ケースＩＤとＲＯＭのＩＤコードとの対応づけという２つの対応関係から、結果として、証紙番号とＲＯＭのＩＤコードとの対応づけが可能となるので、一方の対応づけデータだけが紛失した場合であっても。証紙番号とＲＯＭのＩＤコードとの対応づけという重要な情報が流出されてしまうことが回避される。
【発明を実施するための最良の形態】
【００１５】
以下、本発明の実施の形態について図面を参照しながら詳細に説明する。
図１は、本発明に係るパチンコ機１０及び遊技盤１２の外観を示す斜視図であり、図１（ａ）は、パチンコ機１０の正面を示し、図１（ｂ）は、パチンコ機１０の背面を示している。ここでは、製造会社で製造され、検査工程等を経て出荷される状態となったパチンコ機１０が示されている。
【００１６】
このパチンコ機１０は、図１（ａ）に示されるように、木製の枠１１、その枠１１に固定された盤面（遊技盤）１２、盤面１２の前面を覆う開閉可能なガラス扉１３等から構成されている。パチンコ機１０の背面には、図１（ｂ）に示されるように、装飾ランプや液晶ディスプレイによる表示制御をする表示サブ基板２１、各種音声の出力制御をする音声基板２２、入賞時における遊技機の動作等を含む遊技機の主要な動作を制御する主基板２３、パチンコ球の払い出し動作を制御する払出基板２４、各基板等に電源を供給する電源基板２５等の各種基板が透明ケースに収納された状態で取り付けられている。
【００１７】
このパチンコ機１０の３ヶ所（前面の１ヶ所、背面の２ヶ所）には、予め発行機関から発行された証紙番号が印刷された証紙シール３０〜３２が貼り付けられている。つまり、ガラス扉１３を開いて見える盤面１２の右下コーナーの位置に盤面証紙シール３０が貼り付けられ（図１（ａ））、パチンコ機１０の背面に取り付けられた主基板２３のケース表面の中央部に主基板証紙シール３１が貼り付けられ（図１（ｂ））、パチンコ機１０の背面における右下コーナーに位置する枠１１に枠証紙シール３２が貼り付けられている。これら盤面証紙シール３０、主基板証紙シール３１及び枠証紙シール３２は、図２に示されるように、発行機関から発行された一つの証紙番号３３が２次元コード（ここではＱＲコード）で印刷されたシールである。
【００１８】
また、このパチンコ機１０の主基板２３のケース表面の上部には、本発明に特有の主基板機種名シール３５が貼り付けられている（図１（ｂ））。図３は、主基板２３の外観を示す斜視図である。図３に示されるように、主基板２３は、ＩＤコードを格納するＲＯＭ（読み出し専用メモリ、いわゆる「チップＩＤ」）４２、そのＲＯＭ４２からＩＤコードを読み出す専用の読み取り装置であるＩＤリーダを接続するための照合端子４３、外部から電源を供給するための電源端子４４等を備える電子回路基板４０が樹脂性の透明ケース４１に収納されたモジュールであり、そのケース４１の上面の表面には、主基板証紙シール３１と主基板機種名シール３５とが貼り付けられている。
【００１９】
主基板機種名シール３５には、図４に示されるように、その主基板２３に実装されたＲＯＭ４２に格納されたＩＤコードに一義的に対応づけられた基板ケースＩＤ３５ａが２次元コード（ここではＱＲコード）で印刷されている。ここで、ＩＤコードは、その主基板２３に固有の識別コードであり、その主基板２３を識別する情報、つまり、その主基板２３が取り付けられたパチンコ機１０を識別する情報であり、そのパチンコ機１０の固体番号に対応する。
【００２０】
主基板機種名シール３５は、後述するように、主基板２３がパチンコ機１０に取り付けられた状態でＲＯＭ４２からＩＤコードを読み出す手間、つまり、主基板２３の照合端子４３にＩＤリーダを接続することによってＲＯＭ４２に格納されたＩＤコードを読み出すという繁雑な作業を回避するために、主基板２３をパチンコ機１０に取り付ける前に主基板２３に貼り付けられたシールである。そして、この主基板機種名シール３５に印刷された基板ケースＩＤ３５ａは、ＲＯＭコードと一義的に対応づけられ、記録して管理されている。
【００２１】
この主基板機種名シール３５に印刷された基板ケースＩＤ３５ａは、パチンコ機１０の出荷時において、主基板２３のケース表面に貼り付けられた主基板証紙シール３１に印刷された証紙番号３３と対応づけられ、記録して管理される。このようにして、主基板２３がパチンコ機１０に取り付けられる前の段階において、主基板２３のケース表面に主基板機種名シール３５に貼り付けられるとともに、その主基板２３のＲＯＭ４２に格納されたＩＤコードと主基板機種名シール３５に印刷された基板ケースＩＤ３５ａとが対応づけられて記録され、主基板２３がパチンコ機１０に取り付けられて出荷される段階において、主基板２３のケース表面にさらに主基板証紙シール３１が貼り付けられるとともに、主基板２３のケース表面に貼り付けられた主基板機種名シール３５と主基板証紙シール３１それぞれに印刷された基板ケースＩＤ３５ａと証紙番号３３とが対応づけられて記録される。
【００２２】
これによって、パチンコ機１０の出荷時においては、主基板２３にＩＤリーダを接続するという繁雑な作業をすることなく、バーコードリーダを用いて主基板機種名シール３５と主基板証紙シール３１それぞれに印刷された基板ケースＩＤ３５ａと証紙番号３３とを非接触で読み取って対応づけるという簡単な作業で済む。そして、パチンコ機１０の出荷後において公安機関等から証紙番号に基づく機種の照会を受けたときには、２つの対応関係（ＩＤコードと基板ケースＩＤ３５ａとの対応関係、基板ケースＩＤ３５ａと証紙番号３３との対応関係）から、基板ケースＩＤ３５ａを介して照合することで、照会を受けた証紙番号に対応するＩＤコード、つまり、出荷時において主基板に実装されていたＲＯＭの種類を特定し、回答することができる。つまり、証紙番号３３から対応する基板ケースＩＤ３５ａを特定し、特定した基板ケースＩＤ３５ａから対応するＩＤコードを特定することができる。
【００２３】
次に、以上のように構成された本実施の形態におけるパチンコ機１０の製造工程について説明する。図５は、本実施の形態におけるパチンコ機１０の製造工程の概略を示す図である。ここでは、パチンコ機１０に取り付けられる主基板２３のＲＯＭ４２に格納されたＩＤコードの管理に関連する工程を中心とした製造から出荷までの工程が示されている。
【００２４】
図５に示されるように、各種基板の製造工程において（Ｓ１０）、主基板２３が製造され、完成すると、第１関連づけ工程において（Ｓ１１）、主基板２３のケース４１表面に基板ケースＩＤ３５ａが印刷された主基板機種名シール３５を貼り付けるとともに、その主基板２３に実装されているＲＯＭ４２に格納されたＩＤコードと基板ケースＩＤ３５ａとの対応づけを行う。具体的には、主基板２３の電源端子４４及び照合端子４３ぞれぞれに電源４７及びＩＤリーダ４５を接続し、ＩＤリーダ４５でＲＯＭ４２からＩＤコードを読み出すとともに、バーコードリーダで主基板機種名シール３５に印刷された基板ケースＩＤ３５ａを読み取り、それらＩＤコードと基板ケースＩＤ３５ａとを対応づけて記録しておく。
【００２５】
続いて、組み立て工程において（Ｓ１２）、主基板２３を含む各種基板を盤面１２の背面等に取り付けたり結線したりすることでパチンコ機１０を組み立てた後に、検査工程において（Ｓ１３）、パチンコ球を用いた動作試験等の検査を行う。
【００２６】
そして、証紙貼り付け工程において（Ｓ１４）、検査に合格したパチンコ機１０の３ヶ所に証紙シール３０〜３２を貼り付けた後に、第２関連づけ工程において（Ｓ１５）、主基板２３のケース４１に貼り付けられた主基板機種名シール３５と主基板証紙シール３１それぞれに印刷された基板ケースＩＤ３５ａと証紙番号３３との対応づけを行う。具体的には、第２関連づけ工程では、主基板２３のケース４１に貼り付けられた主基板機種名シール３５と主基板証紙シール３１それぞれに印刷された基板ケースＩＤ３５ａと証紙番号３３とをバーコードリーダ４６で順次読み取り、それら基板ケースＩＤ３５ａと証紙番号３３とを対応づけて記録しておく。
【００２７】
このような第２関連づけ工程によって、パチンコ機１０に取り付けられた主基板２３のＲＯＭ４２からＩＤコードを読み出して証紙番号と対応づけておくという従来技術における繁雑な作業が回避される。つまり、パチンコ機１０の背面に各種基板が密集した状態で取り付けられている状況において主基板２３の照合端子４３にＩＤリーダ４５を接続したり外したりするという繁雑な作業を行うことなく、主基板２３のケース４１に貼り付けられた２枚のシール（主基板機種名シール３５と主基板証紙シール３１）に対してバーコードリーダを用いて非接触でスキャンするだけで、基板ケースＩＤと証紙番号との対応づけ、ひいては、ＲＯＭ４２のＩＤコードと証紙番号との対応づけ作業が完了する。
【００２８】
最後に、このような第２関連づけ工程が終了したパチンコ機１０は、パチンコ店に向けて出荷される（Ｓ１６）。
【００２９】
図６は、図５に示された基板製造工程（Ｓ１０）と第１関連づけ工程（Ｓ１１）における具体的な作業を示す図である。ここでは、パチンコ機１０の製造会社内に、製造に関連する組織として、製造部と組み立て部とが設けられ、製造部による管理下において組み立て部が主基板を組み立てる場合における作業の流れが示されている。
【００３０】
まず、製造部において、ＩＤコードが格納されたＲＯＭ（チップＩＤ）４２が準備され、組み立て部に渡される（Ｓ２０）。
【００３１】
組み立て部では、製造部から渡されたＲＯＭ４２を実装した主基板２３を組み立て（Ｓ２１の（i））、そのケース４１の上面に、ユニークな基板ケースＩＤ３５ａが印刷された主基板機種名シール３５を貼り付ける（Ｓ２１の（ii））。そして、受入関連づけ用コンピュータ５０に接続されたＩＤリーダ４５ａを主基板２３に接続することで、主基板２３に実装されたＲＯＭ４２に格納されたＩＤコードを読み出し、受入関連づけ用コンピュータ５０に接続されたバーコードリーダ４６ａで、主基板２３に貼り付けられた主基板機種名シール３５に印刷された基板ケースＩＤ３５ａを読み出し、受入関連づけ用コンピュータ５０において、それらＩＤコードと基板ケースＩＤ３５ａとを対応づけた受入データ６０を作成する（Ｓ２１の（iii））。その後に、主基板２３を製造部に納入するとともに、受入関連づけ用コンピュータ５０に保存されている受入データ６０を製造部に転送する（Ｓ２１の（iv））。
【００３２】
製造部では、組み立て部から転送されてきた受入データ６０を製造部サーバ５２に格納しておくとともに（Ｓ２２の（i））、組み立て部から納品された主基板２３の受入検査を実施する（Ｓ２２の（ii））。具体的には、組み立て部から納品された主基板２３に対して、受入検査用コンピュータ５１に接続されたＩＤリーダ４５を主基板２３に接続することで、主基板２３に実装されたＲＯＭ４２に格納されたＩＤコードを読み出し、受入検査用コンピュータ５１に接続されたバーコードリーダ４６で、主基板２３に貼り付けられた主基板機種名シール３５に印刷された基板ケースＩＤ３５ａを読み出し、それらＩＤコードと基板ケースＩＤ３５ａとを受入検査用コンピュータ５１を介して製造部サーバ５２に転送する。そして、製造部サーバ５２において、受入検査用コンピュータ５１から転送されてきた現物（主基板２３）のＩＤコード及び基板ケースＩＤ３５ａと、組み立て部から転送されてきた受入データ６０とが一致することを確認する。
【００３３】
図７（ａ）〜（ｃ）は、図５に示された証紙貼り付け工程（Ｓ１４）〜出荷（Ｓ１６）における具体的な作業を示す図である。ここでは、枠１１と盤面１２を含むパチンコ機１０全体を製品として出荷する新台出荷における作業と（図７（ａ））、盤面１２だけを製品として出荷する盤面出荷における作業と（図７（ｂ））、主基板だけを部品として出庫する部品出庫における作業（図７（ｃ））とが示されている。
【００３４】
新台出荷においては、図７（ａ）に示されるように、製造部は、図６に示される工程によって完成した主基板２３等の全ての基板が取り付けられて検査を通過したパチンコ機１０の３ヶ所に証紙シール３０〜３２を貼り付ける（Ｓ２３の（i））。その結果、主基板２３のケース４１の表面には、既に貼り付けられていた主基板機種名シール３５と併せて、２つのシール（主基板機種名シール３５と主基板証紙シール３１）が貼り付けられた状態となるので、それら２つのシール（主基板機種名シール３５と主基板証紙シール３１）それぞれに印刷された基板ケースＩＤ３５ａと証紙番号３３とを新台出荷用コンピュータ５３に接続されたバーコードリーダ４６で順次読み取り、それら基板ケースＩＤ３５ａと証紙番号３３とを対応づけた出荷データ６１として新台出荷用コンピュータ５３から製造部サーバ５２に転送し保存しておく（Ｓ２３の（ii））。
【００３５】
盤面出荷においては、図７（ｂ）に示されるように、製造部は、図６に示される工程によって完成した主基板２３に主基板証紙シール３１を貼り付ける（Ｓ２４の（i））。その結果、主基板２３のケース４１の表面には、既に貼り付けられていた主基板機種名シール３５と併せて、２つのシール（主基板機種名シール３５と主基板証紙シール３１）が貼り付けられた状態となるので、それら２つのシール（主基板機種名シール３５と主基板証紙シール３１）それぞれに印刷された基板ケースＩＤ３５ａと証紙番号３３とを盤面出荷用コンピュータ５４に接続されたバーコードリーダ４６で順次読み取り、それら基板ケースＩＤ３５ａと証紙番号３３とを対応づけた出荷データ６１として盤面出荷用コンピュータ５４から製造部サーバ５２に転送し保存しておく（Ｓ２４の（ii））。
【００３６】
部品出庫においては、図７（ｃ）に示されるように、製造部は、図６に示される工程によって完成した主基板２３に主基板証紙シール３１を貼り付ける（Ｓ２５の（i））。その結果、主基板２３のケース４１の表面には、既に貼り付けられていた主基板機種名シール３５と併せて２つのシール（主基板機種名シール３５と主基板証紙シール３１）が貼り付けられた状態となるので、それら２つのシール（主基板機種名シール３５と主基板証紙シール３１）それぞれに印刷された基板ケースＩＤ３５ａと証紙番号３３とを部品出庫用コンピュータ５５に接続されたバーコードリーダ４６で順次読み取り、それら基板ケースＩＤ３５ａと証紙番号３３とを対応づけた出荷データ６１として部品出庫用コンピュータ５５から製造部サーバ５２に転送し保存しておく（Ｓ２５の（ii））。
【００３７】
以上のような図６及び図７に示される作業によって製造部サーバ５２には、受入データ６０と出荷データ６１とが蓄積される。
【００３８】
図８は、このような受入データ６０と出荷データ６１を蓄積して管理する製造部サーバ５２の構成を示す機能ブロック図である。この製造部サーバ５２は、受入データ６０と出荷データ６１とを保存・管理するとともに、証紙番号による問い合わせに対して対応するＩＤコードを検索して出力するコンピュータであり、記憶部６４、入力部６５、照会部６６及び出力部６７を備える。
【００３９】
記憶部６４は、受入関連づけ用コンピュータ５０及び受入検査用コンピュータ５１等から転送されてくる受入データ６０と、新台出荷用コンピュータ５３、盤面出荷用コンピュータ５４及び部品出庫用コンピュータ５５等から転送されてくる出荷データ６１とを蓄積するハードディスク等である。入力部６５は、操作者から、問い合わせの対象となる証紙番号の入力等を受け付けるキーボード等である。照会部６６は、記憶部６４に蓄積された受入データ６０及び出荷データ６１を参照することによって、入力部６５が受け付けた証紙番号に対応するＩＤコードを検索するＣＰＵ等である。出力部６７は、照会部６６によって検索されたＩＤコードを出力するディスプレイ装置等である。
【００４０】
図９は、図８に示された製造部サーバ５２の動作（ここでは、照会された証紙番号から対応するＩＤコードを検索して出力する処理）の手順を示すフローチャートである。まず、入力部６５は、操作者が入力した証紙番号を取得すると、その証紙番号を照会部６６に通知する（Ｓ３０）。照会部６６は、出荷データ６１を参照することで（Ｓ３１）、入力部６５から通知された証紙番号に対応する基板ケースＩＤを特定する（Ｓ３２）。続いて、照会部６６は、受入データ６０を参照することで（Ｓ３３）、いま特定した基板ケースＩＤに対応するＩＤコードを特定する（Ｓ３４）。そして、照会部６６は、特定したＩＤコードを出力部６７に出力する（Ｓ３５）。
【００４１】
このようにして、製造部サーバ５２により、照会を受けた証紙番号から対応するＩＤコードが特定される。よって、パチンコ機１０の出荷後において公安機関等から証紙番号に基づく機種の照会を受けたときには、照会を受けた証紙番号に対応するＩＤコード、つまり、出荷時において主基板に実装されていたＲＯＭの種類を特定し、回答することができる。
【００４２】
以上のように、本実施の形態におけるパチンコ機、その製造方法及びＩＤコードの管理方法によれば、主基板２３がパチンコ機１０に取り付けられる前の段階において、主基板２３のケース表面に主基板機種名シール３５に貼り付けられるとともに、その主基板２３のＲＯＭ４２に格納されたＩＤコードと主基板機種名シール３５に印刷された基板ケースＩＤ３５ａとが対応づけられて記録され、図１０に示されるパチンコ機１０の背面図のように、主基板２３がパチンコ機１０に取り付けられ（図１０（ａ）、（ｂ））、出荷される段階において、主基板２３のケース表面にさらに主基板証紙シール３１が貼り付けられるとともに、主基板２３のケース表面に貼り付けられた主基板機種名シール３５と主基板証紙シール３１それぞれに印刷された基板ケースＩＤと証紙番号とが対応づけられて記録される（図１０（ｃ））。
【００４３】
このような基板ケースＩＤを介した２段階の対応づけによって、パチンコ機１０の出荷段階においては、パチンコ機１０を通電したり、パチンコ機１０の背面に各種基板が密集した状態で取り付けられている状況において主基板２３の照合端子４３にＩＤリーダ４５を接続したり外したりするという繁雑な作業を行うことなく、主基板２３のケース４１に貼り付けられた２枚のシールに対してバーコードリーダを用いて非接触でスキャンするだけで、基板ケースＩＤと証紙番号との対応づけ、ひいては、ＲＯＭ４２のＩＤコードと証紙番号との対応づけ作業を終えることができる。したがって、検査を終えたパチンコ機１０の電源コードを収納して出荷待ち状態にしておいた場合であっても、出荷時においては、その電源コードを取り出して通電することなく、証紙シールの貼り付けと、バーコードリーダを用いたＱＲコードの読み取り作業だけで済み、作業効率が向上される。
【００４４】
また、本実施の形態によれば、受入データ６０と出荷データ６１の２つのデータベースが結ばれたときにのみ、証紙番号とＩＤコードとの関連が判明するしくみになっているので、例えば、一方のデータだけが紛失した場合であっても、証紙番号とＩＤコードとの関連という重要な情報の流出が回避される。
【００４５】
以上、本発明に係るパチンコ機、その製造方法及びＩＤコードの管理方法について実施の形態に基づいて説明したが、本発明は、この実施の形態に限定されない。本発明の主旨を逸脱しない範囲で本実施の形態に対して各種変形を施したものも本発明に含まれる。
【００４６】
たとえば、本実施の形態では、主基板２３について２段階によるＩＤコード等の関連づけが行われたが、本発明は、主基板２３だけに限定されるものではなく、パチンコ機１０の主要な機能を決定づける他の基板、あるいは、遊技者にとって重要度の高い他の基板、例えば、払出基板２４等についても同様の関連づけをしてもよい。このときには、払出基板２４がパチンコ機１０に取り付けられる前の段階において、払出基板２４のケース表面に、払出基板の種類・機能を識別する基板ケースＩＤが印刷された払出基板シールを貼り付けるとともに、その払出基板２４に実装されたＲＯＭに格納されたＩＤコードと払出基板シールに印刷された基板ケースＩＤとを対応づけて記録しておき、払出基板２４をパチンコ機１０に取り付けて出荷する段階において、バーコードリーダ４６を用いて、そのパチンコ機１０に貼り付けられた証紙シールと払出基板２４のケース表面に貼り付けられた払出基板シールそれぞれに印刷された証紙番号と基板ケースＩＤとを対応づけて記録しておく。これによって、２つの対応づけデータから、証紙番号に対応する払出基板２４内のＲＯＭのＩＤコードが特定される。
【００４７】
また、本実施の形態では、主基板機種名シール３５には基板ケースＩＤ３５ａがＱＲコードで印刷されていたが、本発明に係る主基板機種名シール３５に印刷される情報としては基板ケースＩＤ３５ａだけに限られず、例えば、図１１に示される主基板機種名シール３５のように、パチンコ機の機種名、型式、消費電力、製造会社、Ｓ／Ｎ（製造番号）等の各種管理情報も併せてＱＲコードに格納しておいてもよい。その場合に、Ｓ／Ｎを本実施の形態における基板ケースＩＤ３５ａとして管理してもよい。これによって、証紙番号によるＩＤコードの照会に対応するだけでなく、証紙番号を含むパチンコ機１０の各種製造情報を管理することで、パチンコ機の流通・回収段階においてもパチンコ機の所在を明確に管理することもできる。
【００４８】
さらに、本実施の形態では、遊技機としてパチンコ機の例が説明されたが、本発明に係る遊技機は、パチンコ機等の弾球遊技機だけでなく、スロットマシン等の回胴式遊技機も含まれる。
【産業上の利用可能性】
【００４９】
本発明に係る遊技機は、パチンコ機、遊技盤、スロットマシン等の遊技機として、特に、遊技機に貼り付けられた証紙シールに印刷された証紙番号と遊技機との対応づけ作業を効率化することを可能にした遊技機や、証紙番号と遊技機（あるいは、ＲＯＭのＩＤコード）との対応づけを管理する管理装置や生産設備等として、利用することができる。
【図面の簡単な説明】
【００５０】
【図１】本発明に係るパチンコ機及び遊技盤の外観を示す斜視図であり、（ａ）は正面図、（ｂ）は背面図。
【図２】（ａ）は盤面証紙シール、（ｂ）は主基板証紙シール、（ｃ）は枠証紙シールの例を示す図。
【図３】主基板の外観を示す斜視図。
【図４】主基板機種名シールの例を示す図。
【図５】パチンコ機の製造工程の概略を示す図。
【図６】図５に示された基板製造工程と第１関連づけ工程における具体的な作業を示す図。
【図７】図５に示された証紙貼り付け工程〜出荷における具体的な作業を示し、（ａ）は新台出荷、（ｂ）は盤面出荷、（ｃ）は部品出庫の場合の作業工程を示す図。
【図８】製造部サーバの構成を示す機能ブロック図。
【図９】製造部サーバの動作手順を示すフローチャート。
【図１０】主基板がパチンコ機に取り付けられて証紙シールが貼り付けられる過程を示すパチンコ機の背面図。
【図１１】主基板機種名シールの他の例を示す図。
【符号の説明】
【００５１】
１０…パチンコ機、１１…枠、１２…盤面、１３…ガラス扉、２１…表示サブ基板、２２…音声基板、２３…主基板、２４…払出基板、２５…電源基板、３０〜３２  証紙シール、３５…主基板機種名シール、３５ａ  基板ケースＩＤ、４０…電子回路基板、４１…ケース、４２…ＲＯＭ、４３…照合端子、４４…電源端子
【図１】
2007054418.tif 000003
【図２】
2007054418.tif 000004
【図３】
2007054418.tif 000005
【図４】
2007054418.tif 000006
【図５】
2007054418.tif 000007
【図６】
2007054418.tif 000008
【図７】
2007054418.tif 000009
【図８】
2007054418.tif 000010
【図９】
2007054418.tif 000011
【図１０】
2007054418.tif 000012
【図１１】
2007054418.tif 000013